(57)【要約】【課題】スイッチが蓋の外観を損なわない飾り瓶を提供する。【解決手段】飾り瓶１０は、上部に開口部１２を有する透明な瓶１１と、透明な瓶１１の内部に設けられ光が屈折、反射する物体２１と、蓋３１と、照明ユニット４１とを備える。蓋３１は、透明な瓶１１の開口部１２を覆い、筒３２および蓋の上面３６から構成され、底部に通し孔３２１を有しており、蓋の上面３６は筒３２の上方を覆い、筒３２との間に収容空間３３を形成し、蓋の上面３６が外力を受けてねじ込まれたとき、一部が下に向かって変形、移動する。照明ユニット４１は、電源４２、電気回路４４、スイッチ４６、光源４８を有する。スイッチ４６は、蓋の上面３６の下方に設けられ、蓋の上面３６が下に向かって変形するのを受けて作動し、電源４２のオン、オフを行う。【選択図】  図１
0003149901.tif 000002
【実用新案登録請求の範囲】
【請求項１】
上部に開口部を有する透明な瓶と、
前記透明な瓶の内部に設けられる光が屈折又は反射する物体と、
前記透明な瓶の開口部を覆い、筒および蓋の上面から構成され、底部に通し孔を有しており、前記蓋の上面は前記筒の上方を覆い、前記筒との間に収容空間を形成し、前記蓋の上面が外力を受けてねじ込まれたとき、一部が下に向かって変形し、移動する蓋と、
電源、電気回路、スイッチ、および光源を有しており、前記電気回路に電力を供給し、前記スイッチが前記光源のオン、オフの切り替えを行い、前記収容空間の内部に設けられ、前記光源が発光する光が前記通し孔を通じて下方を照らし、前記スイッチは前記蓋の上面の下方に設けられ、前記蓋の上面が下に向かって変形するのを受けて作動し、前記電源のオン、オフを行う照明ユニットと、
を備えることを特徴とする飾り瓶。
【請求項２】
前記蓋の上面の底面は、下方に延伸されて凸部を形成しており、
前記蓋の上面の前記凸部の周縁部は、凹部を形成し、
前記凹部は、前記筒の開口部の周縁に接合し、
前記蓋の上面は、外力を受けてねじ込まれたとき、一部が下に向かって変形し、
前記スイッチは、前記蓋の上面が変形するのを受けて作動し、前記電源のオン、オフを行うことを特徴とする請求項１に記載の飾り瓶。
【請求項３】
前記蓋の上面が前記筒の開口部の内壁面に嵌め込まれ、前記蓋の上面は外力を受けて押されたとき、全体が下に向かって移動し、前記スイッチのオン、オフを行うことを特徴とする請求項１に記載の飾り瓶。
【請求項４】
前記電源には、電池が用いられることを特徴とする請求項１に記載の飾り瓶。
【請求項５】
前記光源には、ＬＥＤが用いられることを特徴とする請求項１に記載の飾り瓶。
【請求項６】
前記光源の発光する色が変化することを特徴とする請求項１に記載の飾り瓶。
【請求項７】
前記光源は、前記通し孔に設けられ、前記筒の下方に向かって露出していることを特徴とする請求項１に記載の飾り瓶。
【考案の詳細な説明】
【技術分野】
【０００１】
本考案は飾り瓶に関するもので、詳細には、内部に光が屈折、反射する物体を有する飾り瓶に関する。
【背景技術】
【０００２】
従来の装飾品、例えば飾り瓶は、一般的には内部に人形、カラフルな砂、あるいは小さな物、例えば、帆船、机、椅子、草花など、が入れられ、観賞用に利用される。
【０００３】
透明な瓶の内部に、ガラスあるいは水晶など、光が屈折する物体を装着、あるいはその他光り物あるいは鏡などの光線を反射する物体を装着した場合、室内の光線が透明な瓶の内部の物体を照らすことで、光線が屈折あるいは反射するため、見た目にきらびやかになり、良好な装飾効果をもたらす。
【０００４】
近年来、内部に光源を有する透明な瓶が登場し、内部の物体を照らすことで、全体的にきらびやかな見た目を感じさせる効果を有している。しかしながら一部の製品では、光源が瓶の中で内部の物体に干渉している。また一部の製品では、瓶の蓋の取っ手が外部に露出しており、美観的に優れていないという問題がある。
【考案の概要】
【考案が解決しようとする課題】
【０００５】
本考案の第一の目的は、内部に光が屈折、反射する物体を有し、スイッチが蓋の内部に隠されており、スイッチが蓋の外観を損なわない飾り瓶を提供することにある。
本考案の第二の目的は、内部に光が屈折、反射する物体を有し、光が屈折、反射する物体が放つ光線が、きらびやかな効果を発揮する飾り瓶を提供することにある。
【課題を解決するための手段】
【０００６】
請求項１で述べているように、前記の課題を実現するため、本考案による飾り瓶は、上部に開口部を有する透明な瓶と、透明な瓶の内部に設けられ光が屈折、反射する物体と、蓋と、照明ユニットと、を備える。蓋は、透明な瓶の開口部を覆い、筒および蓋の上面から構成され、底部に通し孔を有しており、蓋の上面は筒の上方を覆い、筒との間に収容空間を形成し、蓋の上面が外力を受けてねじ込まれたとき、一部が下に向かって変形、移動する。照明ユニットは、電源、電気回路、スイッチ、光源を有している。照明ユニットは、電気回路に電力を供給し、スイッチが光源のオン、オフの切り替えを行い、収容空間の内部に設けられ、光源が発光する光が通し孔を通じて下方を照らし、スイッチは蓋の上面の下方に設けられ、蓋の上面が下に向かって変形するのを受けて作動し、電源のオン、オフを行う。
【図面の簡単な説明】
【０００７】
【図１】本考案の第１実施例による飾り瓶を側面から見た断面図であり、飾り瓶の蓋を開けた状態を示す図である。
【図２】本考案の第１実施例による飾り瓶を側面から見た断面図であり、飾り瓶に蓋がされた状態を示す図である。
【図３】本考案の第２実施例による飾り瓶の蓋を示す斜視図である。
【図４】本考案の第２実施例による飾り瓶の蓋を側面から見た断面図であり、飾り瓶に蓋がされた状態を示す図である。
【考案を実施するための形態】
【０００８】
以下、本考案の実施形態による飾り瓶を、図面に基づいて説明する。
（第１実施例）
図１、及び図２に示すように、本考案の第１実施例による飾り瓶１０は、透明な瓶１１、光が屈折、反射する物体２１、蓋３１、および照明ユニット４１を含む。
【０００９】
透明な瓶１１は、上部に開口部１２を有する。
光が屈折、反射する物体２１は、水晶、結晶物、ガラス、光り物、鏡などであり、透明な瓶１１の内部に設けられる。
蓋３１は、透明な瓶１１の開口部１２を覆う。
【００１０】
照明ユニット４１は、電源４２、電気回路４４、スイッチ４６、および光源４８を有する。電源４２は、電気回路４４に電力を供給する。スイッチ４６は、光源４８のオン、オフの切り替えを行う。電源４２には、本実施例では電池が用いられる。光源４８には、本実施例ではＬＥＤ（発光ダイオード）が用いられ、電気回路４４の制御を受け、発光する色が変化する。ＬＥＤ発光制御回路には、公知の回路が使用される。
【００１１】
蓋３１は、筒３２および蓋の上面３６から構成される。筒３２は、底部に通し孔３２１を有する。蓋の上面３６は筒３２の上方を覆い、筒３２との間に収容空間３３を形成する。本実施例では、蓋の上面３６は軟らかな木材で作られる。蓋の上面３６の底面は下方に延伸されて凸部３６１を形成する。また蓋の上面３６の凸部３６１の周縁部は、凹部３６２を形成する。凹部３６２は、筒３２の開口部の周縁に接合する。蓋の上面３６は外力を受けてねじ込まれたとき、一部が下に向かって変形する。
【００１２】
照明ユニット４１は、収容空間３３の内部に設けられる。光源４８は通し孔３２１に設けられ、筒３２の下方に向かって露出しており、光源４８が発光する光は下方を照らす。スイッチ４６は蓋の上面３６の下方に設けられ、蓋の上面３６が下に向かって変形するのを受けて作動し、電源のオン、オフを行う。
【００１３】
使用者が蓋の上面３６の中央を押したとき、蓋の上面３６は下に向かって変形し、スイッチ４６を動かす。スイッチ４６の電源オンの指令を受け、光源４８が発光し、透明な瓶１１の内部の光が屈折・反射する物体２１を照らす。図２では、光が屈折、反射する物体２１には結晶物が例として描かれており、光が屈折、反射する物体２１が光を屈折することで、使用者は透明な瓶１１の内部から多数の屈折した光が織りなすきらびやかな効果を楽しむことができる。
【００１４】
光源４８をオフにしたい場合は、もう一度蓋の上面３６を押すことでスイッチ４６が作動し、光源４８がオフになる。
【００１５】
（第２実施例）
図３、及び図４に示すように、本考案の第２実施例による飾り瓶１０は、蓋３１’、筒３２’、蓋の上面３６’、スイッチ４６’および光源４８’を含む。
【００１６】
蓋の上面３６’は筒３２’の開口部の内壁面に嵌め込まれ、蓋の上面３６’は外力を受けて押されたとき、全体が下に向かって移動し、スイッチ４６’を押す。スイッチ４６’は光源４８’をオン、オフし、第１実施例と同様の効果を得ることができる。
【００１７】
本考案が実現する効果は以下の二つである。
【００１８】
第一に、蓋の美観が増すことである。本考案ではスイッチが蓋の内部に隠されており、蓋の上面が押されることで下に向かって変形あるいは移動し、蓋の内部のスイッチをオン・オフする。よって美観的効果が増すのみならず、使用者にとって操作性も失われていない。
【００１９】
第二に、飾り瓶の内部の光が屈折、反射する物体がさらにきらびやかになるということである。飾り瓶の内部の光が屈折、反射する物体に光線が当てられ、物質に当たった光線が屈折あるいは反射することで、飾り瓶の内部の光が屈折、反射する物体は、よりきらびやかになり、全体的に極めて優れた装飾効果を有する。
【符号の説明】
【００２０】
１０：飾り瓶、１１：透明な瓶、１２：開口部、２１：光が屈折、反射する物体、３１：蓋、３２：筒、３２１：通し孔、３３：収容空間、３６：蓋の上面、３６１：凸部、３６２：筒の上部、４１：照明ユニット、４２：電源、４４：電気回路、４６：スイッチ、４８：光源、３１’：蓋、３２’：筒、３６’：蓋の上面、４６’：スイッチ、４８’：光源 
【図１】
0003149901.tif 000003
【図２】
0003149901.tif 000004
【図３】
0003149901.tif 000005
【図４】
0003149901.tif 000006